【手続補正書】
【提出日】令和2年5月22日(2020.5.22)
【手続補正１】
【補正対象書類名】特許請求の範囲
【補正対象項目名】全文
【補正方法】変更
【補正の内容】
【特許請求の範囲】
【請求項１】
撹拌装置を用いて分散液を撹拌する工程を有するトナー粒子の製造方法であって、
該撹拌装置が、
容器と、
該容器の内部に垂設された回転軸と、
該回転軸に上下多段に設けられた複数枚のパドル翼と、
を有し、
該複数枚のパドル翼のうち最大の径を有する最大径翼において、最大の径を与える部分が、該最大径翼の高さ方向の中心より上方に存在し、
該最大径翼の最大径をＤ１（ｍ）とし、該最大径翼の翼高をＨ１（ｍ）とし、該最大径翼の最下部と該最下部の上方Ｈ１×０．２の位置との間における最大径をＤ２（ｍ）としたとき、該Ｄ１と該Ｄ２が、下記式（１）の関係を満たし、
１．１×Ｄ２≦Ｄ１                      式（１）
該最大径翼の下方に設けられた下段翼の最大翼径をＤ３（ｍ）としたとき、該Ｄ１と該Ｄ３とが、下記式（２）の関係を満たし、
１．１×Ｄ３≦Ｄ１≦１．５×Ｄ３        式（２）
該容器の内面の最下部から静止状態の該分散液の液面までの距離をＨ２（ｍ）とし、該容器の内面の最下部から該最大径翼の最上部までの距離をＨ３（ｍ）としたとき、該Ｈ２と該Ｈ３とが、下記式（３）の関係を満たす、
０．６×Ｈ２≦Ｈ３≦Ｈ２                式（３）
ことを特徴とするトナー粒子の製造方法。
【請求項２】
前記最大径翼の形状が、下底よりも上底が長い略台形である、請求項１に記載のトナー粒子の製造方法。
【請求項３】
前記下段翼が、前記最大径翼の一段下に設けられている、請求項１または２に記載のトナー粒子の製造方法。
【請求項４】
前記Ｄ１と前記Ｈ１とが、下記式（４）の関係を満たす、
０．５×Ｄ１≦Ｈ１≦１．５×Ｄ１        式（４）
請求項１〜３のいずれか１項に記載のトナー粒子の製造方法。
【請求項５】
前記複数枚のパドル翼のうち上下で隣接する任意の２つのパドル翼において、上段のパドル翼が、下段のパドル翼に対して、１０度以上９０度以下の交差角度α１で回転方向に先行するように設けられている、請求項１〜４のいずれか１項に記載のトナー粒子の製造方法。
【請求項６】
前記容器の内径をＤ４（ｍ）としたとき、前記Ｄ１と該Ｄ４とが、下記式（５）の関係を満たす、
０．５０×Ｄ４≦Ｄ１≦０．９５×Ｄ４    式（５）
請求項１〜５のいずれか１項に記載のトナー粒子の製造方法。
【請求項７】
前記下段翼の翼高をＨ４（ｍ）としたとき、前記Ｈ１と該Ｈ４とが、下記式（６）の関係を満たす、
Ｈ４≦Ｈ１                              式（６）
請求項１〜６のいずれか１項に記載のトナー粒子の製造方法。
【請求項８】
前記パドル翼が、２枚パドル翼である、請求項１〜７のいずれか１項に記載のトナー粒子の製造方法。
【請求項９】
前記複数枚のパドル翼のうち上下で隣接する任意の２つのパドル翼において、上段のパドル翼の最下部から下段のパドル翼の最上部までの距離をＨ５（ｍ）とし、前記容器の内径をＤ４（ｍ）としたとき、該Ｄ４と該Ｈ５とが、下記式（７）の関係を満たす、
Ｈ５≦０．２×Ｄ４                      式（７）
請求項８に記載のトナー粒子の製造方法。
【請求項１０】
前記分散液を前記撹拌装置にて撹拌する際の動力をＰ（Ｗ）とし、前記撹拌装置に添加する前記分散液の体積をＶ（ｍ３）としたとき、該Ｐと該Ｖとが、下記式（８）の関係を満たす、
１０≦Ｐ／Ｖ≦６００                    式（８）
請求項１〜９のいずれか１項に記載のトナー粒子の製造方法。
【請求項１１】
トナー粒子を製造する過程において分散液を撹拌するための撹拌装置であって、
該撹拌装置が、
容器と、
該容器の内部に垂設された回転軸と、
該回転軸に上下多段に設けられた複数枚のパドル翼と、
を有し、
該複数枚のパドル翼のうち最大の径を有する最大径翼において、最大の径を与える部分が、該最大径翼の高さ方向の中心より上方に存在し、
該最大径翼の最大径をＤ１（ｍ）とし、該最大径翼の翼高をＨ１（ｍ）とし、該最大径翼の最下部と該最下部の上方Ｈ１×０．２の位置との間における最大径をＤ２（ｍ）としたとき、該Ｄ１と該Ｄ２が、下記式（１）の関係を満たし、
１．１×Ｄ２≦Ｄ１                      式（１）
該最大径翼の下方に設けられた下段翼の最大翼径をＤ３（ｍ）としたとき、該Ｄ１と該Ｄ３とが、下記式（２）の関係を満たし、
１．１×Ｄ３≦Ｄ１≦１．５×Ｄ３        式（２）
該容器の内面の最下部から静止状態の該分散液の液面までの距離をＨ２（ｍ）とし、該容器の内面の最下部から該最大径翼の最上部までの距離をＨ３（ｍ）としたとき、該Ｈ２と該Ｈ３とが、下記式（３）の関係を満たす、
０．６×Ｈ２≦Ｈ３≦Ｈ２                式（３）
ことを特徴とする撹拌装置。
【手続補正２】
【補正対象書類名】明細書
【補正対象項目名】００１１
【補正方法】変更
【補正の内容】
【００１１】
本発明の一態様によれば、撹拌装置を用いて分散液を撹拌する工程を有するトナー粒子の製造方法であって、
該撹拌装置が、
容器と、
該容器の内部に垂設された回転軸と、
該回転軸に上下多段に設けられた複数枚のパドル翼と、
を有し、
該複数枚のパドル翼のうち最大の径を有する最大径翼において、最大の径を与える部分が、該最大径翼の高さ方向の中心より上方に存在し、
該最大径翼の最大径をＤ１（ｍ）とし、該最大径翼の翼高をＨ１（ｍ）とし、該最大径翼の最下部と該最下部の上方Ｈ１×０．２の位置との間における最大径をＤ２（ｍ）としたとき、該Ｄ１と該Ｄ２が、下記式（１）の関係を満たし、
１．１×Ｄ２≦Ｄ１                      式（１）
該最大径翼の下方に設けられた下段翼の最大翼径をＤ３（ｍ）としたとき、該Ｄ１と該Ｄ３とが、下記式（２）の関係を満たし、
１．１×Ｄ３≦Ｄ１≦１．５×Ｄ３        式（２）
該容器の内面の最下部から静止状態の該分散液の液面までの距離をＨ２（ｍ）とし、該容器の内面の最下部から該最大径翼の最上部までの距離をＨ３（ｍ）としたとき、該Ｈ２と該Ｈ３とが、下記式（３）の関係を満たす、
０．６×Ｈ２≦Ｈ３≦Ｈ２                式（３）
トナー粒子の製造方法が提供される。
【手続補正３】
【補正対象書類名】明細書
【補正対象項目名】００１２
【補正方法】変更
【補正の内容】
【００１２】
また、本発明の他の態様によれば、
トナー粒子を製造する過程において分散液を撹拌するための撹拌装置であって、
該撹拌装置が、
容器と、
該容器の内部に垂設された回転軸と、
該回転軸に上下多段に設けられた複数枚のパドル翼と、
を有し、
該複数枚のパドル翼のうち最大の径を有する最大径翼において、最大の径を与える部分が、該最大径翼の高さ方向の中心より上方に存在し、
該最大径翼の最大径をＤ１（ｍ）とし、該最大径翼の翼高をＨ１（ｍ）とし、該最大径翼の最下部と該最下部の上方Ｈ１×０．２の位置との間における最大径をＤ２（ｍ）としたとき、該Ｄ１と該Ｄ２が、下記式（１）の関係を満たし、
１．１×Ｄ２≦Ｄ１                      式（１）
該最大径翼の下方に設けられた下段翼の最大翼径をＤ３（ｍ）としたとき、該Ｄ１と該Ｄ３とが、下記式（２）の関係を満たし、
１．１×Ｄ３≦Ｄ１≦１．５×Ｄ３        式（２）
該容器の内面の最下部から静止状態の該分散液の液面までの距離をＨ２（ｍ）とし、該容器の内面の最下部から該最大径翼の最上部までの距離をＨ３（ｍ）としたとき、該Ｈ２と該Ｈ３とが、下記式（３）の関係を満たす、
０．６×Ｈ２≦Ｈ３≦Ｈ２                式（３）
撹拌装置が提供される。